【手続補正書】
【提出日】平成27年11月5日(2015.11.5)
【手続補正１】
【補正対象書類名】特許請求の範囲
【補正対象項目名】全文
【補正方法】変更
【補正の内容】
【特許請求の範囲】
【請求項１】
光を原稿面に導光する導光体と、該導光体からの光を前記原稿面に向けて反射する反射部材と、を備える照明装置であって、
前記導光体は、第１方向に長い入射面と、該入射面からの光を全反射させつつ導光する側面と、該側面からの光を偏向する偏向面と、前記第１方向に垂直な第１断面内において正の屈折力を有する出射面と、を有し、
前記出射面は、前記偏向面からの光を前記原稿面に向けて出射させる第１の領域と、前記入射面からの光を前記側面及び前記偏向面を介さずに前記反射部材に向けて出射させる第２の領域と、前記側面からの光を前記偏向面を介さずに前記反射部材に向けて出射させる第３の領域とを含み、
前記第１断面内において、前記第３の領域の屈折力は、前記第２の領域の屈折力よりも小さいことを特徴とする照明装置。
【請求項２】
前記第１断面内において、前記第１の領域の屈折力は、前記第３の領域の屈折力よりも小さいことを特徴とする請求項１に記載の照明装置。
【請求項３】
前記出射面は、非球面であることを特徴とする請求項１または２に記載の照明装置。
【請求項４】
前記第１断面内において、前記第２の領域における最も前記原稿面から遠い光束中心が出射する位置での屈折力をφ１、前記第３の領域における最も前記原稿面に近い光束中心が出射する位置での屈折力をφ２、とするとき、
１．０＜φ１／φ２＜５．５ 
なる条件を満たすことを特徴とする請求項１乃至３のいずれか１項に記載の照明装置。
【請求項５】
前記第１方向に配列された複数の発光素子を備え、前記第１断面内において、前記発光素子の発光面の前記第１方向に垂直な第２方向での長さをＷＬ、前記入射面の前記第２方向での長さをＷ、前記入射面から前記側面の前記入射面とは反対側の端部までの距離をＬ１、前記側面の前記端部から前記偏向面までの距離をＬ２、とするとき、
ＷＬ＜Ｗ 
０＜Ｗ／（Ｌ１＋Ｌ２）＜０．１５ 
なる条件を満たすことを特徴とする請求項１乃至４のいずれか１項に記載の照明装置。
【請求項６】
前記側面は、前記原稿面に近い側の第１の側面と前記原稿面から遠い側の第２の側面とを含み、前記第１断面内において、前記入射面の面法線と前記第１の側面との成す角をθ１、前記入射面の面法線と前記第２の側面との成す角をθ２、とするとき、
０＜（（Ｌ１ｔａｎθ１）＋（Ｌ１ｔａｎθ２））／（Ｌ１＋Ｌ２）＜０．１３ 
なる条件を満たすことを特徴とする請求項１乃至５のいずれか１項に記載の照明装置。
【請求項７】
前記第１断面内において、前記偏向面から前記第１の領域までの距離をＬ３、前記側面の前記入射面とは反対側の端部から前記第２の領域までの距離をＬ４、とするとき、
０．１５＜Ｌ２／Ｌ１＜０．８ 
０．５＜Ｌ３／Ｌ２＜１．５ 
１．２＜Ｌ４／Ｌ２＜２．５ 
なる条件を満たすことを特徴とする請求項１乃至６のいずれか１項に記載の照明装置。
【請求項８】
前記出射面は、前記第１断面に垂直な断面内において曲率を有するトーリック領域を含むことを特徴とする請求項１乃至７のいずれか１項に記載の照明装置。
【請求項９】
前記側面は、前記原稿面に近い側の第１の側面と前記原稿面から遠い側の第２の側面とを含み、前記導光体は、前記第１の側面と前記出射面とを接続する第３の側面と、前記第２の側面と前記偏向面とを接続する第４の側面と、を更に有し、前記第３及び第４の側面の間隔は、前記第１の断面内において前記入射面から離れるに従い広くなっていることを特徴とする請求項１乃至８のいずれか１項に照明装置。
【請求項１０】
前記導光体は、前記偏向面と前記出射面とを接続する第５の側面を有し、該第５の側面は、前記入射面及び前記側面からの光を規制しないように配置されていることを特徴とする請求項１乃至９のいずれか１項に記載の照明装置。
【請求項１１】
請求項１乃至１０のいずれか１項に記載の照明装置と、前記原稿面からの光を受光する読取手段と、前記原稿面からの光を前記読取手段に集光する結像光学系と、を備えることを特徴とする画像読取装置。
【請求項１２】
前記結像光学系は、縮小系であることを特徴とする請求項１１に記載の画像読取装置。
【手続補正２】
【補正対象書類名】明細書
【補正対象項目名】発明の名称
【補正方法】変更
【補正の内容】
【発明の名称】照明装置及びそれを備える画像読取装置
【手続補正３】
【補正対象書類名】明細書
【補正対象項目名】０００１
【補正方法】変更
【補正の内容】
【０００１】
本発明は、照明装置及びそれを備える画像読取装置に関し、原稿面を照明して線順次方式で画像読取を行うイメージスキャナー、複写機、ファクシミリなどに好適なものである。
【手続補正４】
【補正対象書類名】明細書
【補正対象項目名】０００８
【補正方法】変更
【補正の内容】
【０００８】
本発明の目的は、読取位置がばらついても良いように光量が安定した照明領域（長尺領域の短辺方向（副走査方向））を確保することができる照明装置及びそれを備える画像読取装置を提供することにある。
【手続補正５】
【補正対象書類名】明細書
【補正対象項目名】０００９
【補正方法】変更
【補正の内容】
【０００９】
上記目的を達成するために、本発明に係る照明装置は、光を原稿面に導光する導光体と、該導光体からの光を前記原稿面に向けて反射する反射部材と、を備える照明装置であって、前記導光体は、第１方向に長い入射面と、該入射面からの光を全反射させつつ導光する側面と、該側面からの光を偏向する偏向面と、前記第１方向に垂直な第１断面内において正の屈折力を有する出射面と、を有し、前記出射面は、前記偏向面からの光を前記原稿面に向けて出射させる第１の領域と、前記入射面からの光を前記側面及び前記偏向面を介さずに前記反射部材に向けて出射させる第２の領域と、前記側面からの光を前記偏向面を介さずに前記反射部材に向けて出射させる第３の領域とを含み、前記第１断面内において、前記第３の領域の屈折力は、前記第２の領域の屈折力よりも小さいことを特徴とする。
【手続補正６】
【補正対象書類名】明細書
【補正対象項目名】００１０
【補正方法】変更
【補正の内容】
【００１０】
また、上記照明装置を備える画像読取装置も本発明の他の一側面を構成する。
【手続補正７】
【補正対象書類名】明細書
【補正対象項目名】００１１
【補正方法】変更
【補正の内容】
【００１１】
本発明によれば、読取位置がばらついても良いように光量が安定した照明領域（長尺領域の短辺方向（副走査方向））を確保することができる照明装置及びそれを備える画像読取装置を提供できる。
【手続補正８】
【補正対象書類名】明細書
【補正対象項目名】００１４
【補正方法】変更
【補正の内容】
【００１４】
《第１の実施形態》
（画像読取装置）
図２は、本発明の実施形態に係る画像読取用照明装置（照明装置）を搭載した画像読取装置の概略構成図である。一体型走査光学系ユニット（以下「キャリッジ」とも称す）１０７は、原稿台ガラス（原稿台）１０２上に載置された原稿１０１を照明する画像読取用照明装置１０３を有する。更に、画像読取用照明装置１０３により照明された原稿１０２の画像を読取る読取手段（ラインセンサーもしくはイメージセンサー）１０５を有する。
【手続補正９】
【補正対象書類名】明細書
【補正対象項目名】００１９
【補正方法】変更
【補正の内容】
【００１９】
（照明装置）
以下、本実施形態に係る照明装置について、詳細に説明する。図１（ａ）は、本実施形態に係る照明装置１０３の副走査断面図である。照明装置１０３は、発光素子である白色のＬＥＤ１０３ａを主走査方向（画像読取用の原稿載置面における長尺領域の長辺方向、第１方向）に複数並べたＬＥＤ列を備える。照明装置１０３は、更に、基板１０３ｃと、導光体１０３ｂと、読取光軸に対し、導光体と略対称の位置に配置されている反射部材１０３ｄを備える。
【手続補正１０】
【補正対象書類名】明細書
【補正対象項目名】００２１
【補正方法】変更
【補正の内容】
【００２１】
（導光体）
以下、照明装置１０３を構成する導光体１０３ｂについて、図３および図１で詳細に説明する。主走査方向（第１方向）に配列される光源の配列方向と直交する断面（副走査断面、第１断面）内において、光源ユニット１０３ｅからの光束を、先ず入射面１より入射させる。そして、全反射側面２の間を導光させた後、全反射側面２の端部領域３を通過した光束の一部を、偏向面としての反射面４にて原稿面１０１がある第１の方向へ導光させる（図１（ａ））。
【手続補正１１】
【補正対象書類名】明細書
【補正対象項目名】００２８
【補正方法】変更
【補正の内容】
【００２８】
ここで、長尺領域の短辺方向を含み原稿載置面に直交する断面において、全反射側面を介して全反射し反射面（偏向面）４を介した光束中心が第１の方向へ向けて出射する位置（図１（ａ）、第１の領域）での屈折力をφ０とする。また、全反射側面及び反射面４を介さない光束中心（第２の方向へ出射する原稿載置面から最も遠い光束中心）が第２の方向へ向けて出射する位置（図１（ｂ）、第２の領域）での屈折力をφ１とする。また、全反射側面を介して全反射し反射面４を介さない光束中心（第２の方向へ出射する原稿載置面から最も近い光束中心）が第２の方向へ向けて出射する位置（図１（ｃ）、第３の領域）での屈折力をφ２とする。
【手続補正１２】
【補正対象書類名】明細書
【補正対象項目名】００４３
【補正方法】変更
【補正の内容】
【００４３】
（導光体の接続面）
図３で、全反射側面（第１の側面）２ａの端部位置３ａは、出射面５と接続する接続面（第３の側面）８との境界位置であり、全反射側面（第２の側面）２ｂの端部位置３ｂは、反射面４と接続する接続面（第４の側面）９との境界位置である。本実施形態では、図３に示すように全反射側面２の端部位置３ａ、３ｂから連続した曲線で外側に向かって広がるように接続されている。
【手続補正１３】
【補正対象書類名】明細書
【補正対象項目名】００４５
【補正方法】変更
【補正の内容】
【００４５】
更に、反射面４から、出射面５につなげる接続面（第５の側面）１０も、外側に向かって広がるように接続されている。こちらも同様に、出射面５へ向かう第２の方向の光束が、導光体によって光を遮ることなく、出射面５に到達し、効率的に導光されることが可能となる。
【手続補正１４】
【補正対象書類名】明細書
【補正対象項目名】００４６
【補正方法】変更
【補正の内容】
【００４６】
（導光体の具体的構成）
図３に示すように、前述した主走査方向（第１方向）に配列された複数の発光素子である白色のＬＥＤ１０３ａの高さ（発光面の第１方向に垂直な第２方向での長さ）をＷＬ、導光体１０３ｂの入射面１の高さ（第１方向に垂直な第２方向での長さ）をＷ、入射面の光入射軸方向に入射面１から全反射側面２の入射面とは反対側の端部３までの距離をＬ１とする。また、入射面の光入射軸方向に全反射側面２の端部３から反射面４までの距離をＬ２とする。このとき、条件式（２）、（３）を満足するように構成している。
【手続補正１５】
【補正対象書類名】明細書
【補正対象項目名】００５２
【補正方法】変更
【補正の内容】
【００５２】
更に、図３に示すように、副走査断面内で、導光体１０３ｂの原稿面１０１に近い全反射側面（第１の側面）２ａと光入射軸（入射面の面法線）と成す角をθ１、原稿面１０１から遠い全反射側面（第２の側面）２ｂと光入射軸（入射面の面法線）と成す角をθ２、としたとき、条件式（４）も満足するように構成している。
【手続補正１６】
【補正対象書類名】明細書
【補正対象項目名】００５７
【補正方法】変更
【補正の内容】
【００５７】
また、図３に示すように、主走査方向と直交する断面内において、導光体１０３ｂの反射面４から第１の方向へ向かった光束が出射する出射面（第１の領域）までの距離をＬ３とする。そして、入射面の光入射軸方向に全反射側面２の端部３から第２の方向へ向かった光束が出射する出射面（第２の領域）までの距離をＬ４とする。このとき、条件式（５）、（６）、（７）を満たすように構成している。